(57)【要約】【課題】  基礎コンクリート打ちにさいし、その天羽上面を極めて正確な適正値に簡便且つ迅速に実行できる方法及びそのために使用するアンカーボルトの提供。【解決手段】  基礎コンクリートの適当間隔に埋め込むアンカーボルトは、上端から凡そ５０ｍｍの範囲と上端から凡そ１００ｍｍ〜２６０ｍｍの範囲に雄ネジを設けたものとなし、その下方箇所の雄ネジ部にはレベル座金を螺動可能に止着させる構成となし、且つレベル出しにさいしてはバカ棒の下端を上記レベル座金上へ当接した状態で立設させると共に、レベル視準器を覗いてバカ棒の特定基準点と一致する箇所で上記レベル座金の螺動を止め、該レベル座金の停止位置を天羽均しの基準値となすことを特徴とする。【選択図】      図３
2006009409.tif 000002
【特許請求の範囲】
【請求項１】
基礎コンクリートの適当間隔に埋め込むアンカーボルトは、上端から凡そ５０ｍｍの範囲と上端から凡そ１００ｍｍ〜２６０ｍｍの範囲に雄ネジを設けたものとなし、その下方箇所の雄ネジ部にはレベル座金を螺動可能に止着させる構成となし、且つレベル出しにさいしてはバカ棒の下端を上記レベル座金上へ当接した状態で立設させると共に、レベル視準器を覗いてバカ棒の特定基準点と一致する箇所で上記レベル座金の螺動を止め、該レベル座金の停止位置を天羽均しの基準値となすことを特徴とする土台用基礎の天羽均し位置決め方法。
【請求項２】
アンカーボルトの上端から凡そ５０ｍｍの範囲と上端から凡そ１００ｍｍ〜２６０ｍｍの範囲に雄ネジを設けたものとなし、その下方箇所の雄ネジ部には雌ネジ付レベル座金を螺動可能に取り付け、また上方の雄ネジ部には座金とナットを取付けたことを特徴とする請求項１記載の方法を実施するためのアンカーボルト。
【請求項３】
上方の雄ネジ部と下方の雄ネジ部とが連続したものとなしてあることを特徴とする請求項２記載のアンカーボルト。
【発明の詳細な説明】
【技術分野】
【０００１】
本発明は建築物の施行現場で初期段階に必要となる土台用基礎の天羽均し位置決め方法及び、該方法で使用するアンカーボルトに関する。
【背景技術】
【０００２】
コンクリート打ちされた基礎上部の土台を載せる面を正確な高さに揃えるために、モルタルを用いて基礎の天羽均しを行う。この作業は基礎全体が見通せる位置にレベルなどの測量機器を据えて行うのであり、具体的には基礎上部の仕上がりの位置から一定寸法だけ下がった位置に基礎となる墨を打つ必要があり、いわゆる返り墨出しと言われる作業である。
【０００３】
上記作業はバカ棒と呼ばれる木材に印を付け、定規として用いながらレベルによって基礎側面の要所要所に墨で印を付けるのである。
図６はこの返り墨出し作業の説明図であって、バカ棒Ｐの下端に正確な墨付けｍを行うことは、地面上の低い位置で作業者が腰を低くして行う作業のために、少なくとも数ｍｍ前後の誤差が生ずるものとなっている。
【０００４】
【特許文献１】特開２００３−１２９４９０
【発明の開示】
【発明が解決しようとする課題】
【０００５】
上記の返り墨出し作業で生ずる誤差は、天羽均しのモルタル塗りで仕上がり誤差となって表れることから建物の基準高さに狂いを生じさせ、床の不睦、建具の開閉操作が円滑に行われなくなるなどの問題となる。
本発明は上記問題点を解決せんとするものであって、即ち上記誤差が可及的に零となるようにする位置決め方法の提案であり、また該方法で使用するアンカーボルトの提供である。
【課題を解決するための手段】
【０００６】
本発明で、基礎コンクリートの適当間隔に埋め込むアンカーボルトは、上端から凡そ５０ｍｍの範囲と上端から凡そ１００ｍｍ〜２６０ｍｍの範囲に雄ネジを設けたものとなし、その下方箇所の雄ネジ部にはレベル座金を螺動可能に止着させる構成になし、且つレベル出しにさいしてはバカ棒の下端を上記レベル座金上へ当接した状態で立設させると共に、レベル視準器を覗いてバカ棒の特定基準点と一致する箇所で上記レベル座金の螺動を止め、該レベル座金の停止位置を天羽均しの基準値となすことを特徴とする。
而して、アンカーボルトとしてはその上端から凡そ５０ｍｍの範囲と上端から凡そ１００ｍｍ〜２６０ｍｍの範囲に雄ネジを設けたものとなし、その下方箇所の雄ネジ部には雌ネジ付レベル座金を螺動可能に取り付け、また上方の雄ネジ部には座金とナットを取付けたものとなすのである。このさい、上記上方の雄ネジ部と下方の雄ネジ部とが連続した一体の構成とすることも差し支えない。
【発明の効果】
【０００７】
本発明は基礎コンクリート内へ土台固定用として埋め込むアンカーボルトを、特殊な構成のものとなすのであり、即ち該アンカーボルトはその上端から少なくとも１００ｍｍ〜２６０ｍｍの範囲に雄ネジが設けられるものとなし、且つ該部に対し雌ネジ付レベル座金を螺動可能に取付けるものとなすのであり、従って基礎コンクリート中へ埋め込むさい、該部のレベル座金が従来に於けるアンカーボルトの如く必要以上に沈降したりすることを防止できるものとなる。これはあとの土台固定作業を容易且つ適確に行うことができるものとなる。またコンクリートの固結後は上記レベル座金を上方に向けて適宜螺動移動させ、該レベル座金自体を返り墨出し作業の代替とする。即ち本発明で天羽均しの基準値設定には、上記レベル座金に対しバカ棒の下端を立設状態に当接させると共に、他所に設置したレベル視準器から上記バカ棒の特定点を覗いて、該特定点と一致するように上記レベル座金を螺動移動させるのであり、該螺動操作は微小移動を簡便且つ容易に行うことができるので、極めて正確な一致点で停止させることができるものとなる。而して、上記レベル座金の停止位置でこれを取り囲むようにモルタルによる天羽均しを行うのであり、従来にない適正基準値の天羽均し面を形成させることができるものとなる。
【発明を実施するための最良の形態】
【０００８】
図１は本発明方法を実施するさいに使用するアンカーボルト１の斜視図である。本図から明らかなように本発明で使用するアンカーボルト１はその上端から凡そ５０ｍｍの範囲と、上端から凡そ１００ｍｍ〜２６０ｍｍの範囲とに雄ネジｖ，ｗが刻設されるものとなされる。
【０００９】
２は雌ネジ付レベル座金であって、上記に於ける下方部に於ける雄ネジｗと螺合するように取付けてある。なお、３及び４は上方部に於ける雄ネジｖと螺合するように取付けてある座金及びナットである。
【００１０】
図２は上記したアンカーボルト１を使用して基礎コンクリート打ちの行われる状態を示すものである。５は地面下のコンクリート布基礎、６ａ，６ｂは型枠、７は該型枠内へコンクリート打ちされた基礎であり、該基礎７のコンクリート打ち込みにさいしては一定間隔毎に、上記アンカーボルト１が埋め込み状態となされる。
このさい、レベル座金２をアンカーボルト１の下方部に於ける雄ネジｗにセットする箇所は、アンカーボルト１の長さが長いものではその下端付近箇所に、そして短いものでは比較的上方となる箇所に予めセットしておくようにする。即ち、一般にアンカーボルトの長さは長いものでは５００ｍｍ、短いものでは４００ｍｍなどであり、従って前者では２５０ｍｍ程度の箇所へ、後者では１５０ｍｍ程度の箇所へセットされるようになしておくのである。
【００１１】
本発明では上記の如く雌ネジ付レベル座金２をセットしたアンカーボルト１を、コンクリート打ち作業時に上方から適当間隔に埋め込みするのであり、該埋め込みにさいしては上記雌ネジ付レベル座金２が取付けてあることにより、コンクリート内へ挿入されるアンカーボルト１が、その自重で少しずつ自動的に下方へ沈降したりするのを阻止させるものとなるのであり、これはあとの土台取付け作業時にアンカーボルト先端が土台上部から露出されなくて座堀りなどのトラブルを防止することができるものとなる。。
【００１２】
図３はコンクリートの硬化後に型枠６ａ，６ｂを外し、且つ天羽均し位置決めを行う状態の概略図であり、即ち該図面で８はレベル座金２上へ立設させるバカ棒、９はレベル視準器である。具体的な上記操作はバカ棒８の下端をレベル座金２上へ当接する状態に立設させ、これをレベル視準器９から覗いてバカ棒８上方の基準点ｋとの平行度が一致するようにレベル座金２を適宜螺動移動させて行うのである。該操作は単にレベル座金２を微小に回動させるだけで極めて適正に行うことのできるものとなる。
【００１３】
而して、上記のレベル座金２のセット終了後は、図４に示す如く上記レベル座金２の両サイドを取り囲むように定規板１０ａ，１０ｂを取付け、レベル座金２箇所までモルタル１１を塗り込んで天羽均し作業を行うのである。このさい、レベル座金２は天羽面上へ埋め込まれるようにするのである。なお、図面で１２は定規板１０ａ、１０ｂを両サイドから挟持するためのはさみ金物である。
【００１４】
図５は上記により構成されたコンクリート基礎１３に対し、土台１４を取付けた完成品の断面説明図であって、図４で示した天羽均し作業が終了して天羽均しモルタル１１の硬化後は、その上面に土台１４を載置すると共に、座金３及びナット４を使用してこれを不動状態に固定するものである。
本図面の実施例ではアンカーボルトの長さは４００ｍｍのものを使用しており、基礎高さＨは４２０ｍｍとなされるものである。このさい天羽均しモルタル１１の肉厚寸法ｔは凡そ３０ｍｍ程度の設定となされ、また土台寸法は１０５ｍｍ×１０５ｍｍの角材である。
【００１５】
上記実施例側に於けるアンカーボルト１は上方とその少し下方の二箇所に雄ネジｖ，ｗを刻設し、レベル座金２を下方のネジ部へ螺合止着させたものについて説明したが、上記両者のネジ部ｖ，ｗは一体の連続した構成のものとなしても良く、これを含めて本発明の実施の範囲とするものである。
【００１６】
又、上記実施例ではレベルだし作業で雌ネジ付レベル座金２をコンクリート打ち込み後に、上方へ向かって一定間隙が形成されるように螺動させるのであるが、雌ネジ付レベル座金２のコンクリート面からの離脱操作を容易ならしめるための各種工夫を適宜施すことができる。即ち、雌ネジ付レベル座金２の表面に切欠溝を設け、これを治具の使用で回動させるようにしても良いが、雌ネジ付レベル座金２の２枚を用意し、下はそのままの埋め込み状態となし上方のものをレベル出し操作時に使用したりすることも良く、またレベル座金２の一枚の使用では裏面側に両面テープで別の座金を止着させておくことにより、コンクリート打ち面とは無関係状態に保持されるものとなし、コンクリート打ち後に離脱させてレベル座金２の自由な回動が直ちに得られるようにするなどである。
【００１７】
本発明によれば基礎コンクリートの天羽上面を従来にない極めて正確な適正値に仕上げることができ、作業性並びに品質向上に寄与すること大ならしめるものである。
【図面の簡単な説明】
【００１８】
【図１】本発明で使用するアンカーボルトの斜視図である。
【図２】天羽均し作業の斜視図である。
【図３】上記アンカーボルトを使用した基礎コンクリート打ちの断面説明図である。
【図４】レベル出し作業の説明図である。
【図５】完成品の断面説明図である。
【図６】従来の返り墨出し作業説明図である。
【符号の説明】
【００１９】
１      アンカーボルト
２      雌ネジ付レベル座金
３      座金
４      ナット
５      コンクリート布基礎
６ａ，６ｂ  型枠
７      基礎コンクリート
８      バカ棒
９      レベル視準器
１０ａ，１０ｂ    定規板
１１    天羽均しモルタル
１４    土台
【図１】
2006009409.tif 000003
【図２】
2006009409.tif 000004
【図３】
2006009409.tif 000005
【図４】
2006009409.tif 000006
【図５】
2006009409.tif 000007
【図６】
2006009409.tif 000008